(57)【要約】      （修正有）【課題】狭い場所においても搬入及び組立が容易であり、震度の大きい地震であっても、倒壊した建造物により損壊することがなく、複数人が避難可能な堅固な耐震組立家具用枠体とこれを使用した耐震組立家具を提供する。【解決手段】耐震組立家具用枠体１は二台の枠体２０、連結具３０及び継手４０で構成される。枠体２０は金属製角パイプの支柱２１、短枠材２２、長枠材２３、桟２４を溶接で連結する。支柱の上端部には貫通孔を設けてその上にナットｎを溶接する。連結具は金属パイプ３１、３２と係止部３３を溶接で連結しボルト貫通孔を設けてその上にナットｎを溶接する。ナットに螺合するボルトは継手の壁に支柱の壁及び係止部の壁を押圧・固着され、二台の枠体を強固に緊結する。この耐震組立家具用枠体に天板、側板、後板等を配設すれば耐震組立家具ができる。地震発生の際はこの耐震組立家具の内部に避難する。【選択図】図１
0003149953.tif 000002
【実用新案登録請求の範囲】
【請求項１】
複数の枠体と、連結具と、継手とを備える耐震組立家具用枠体であって、
（１）該枠体は断面正方形の４本の金属角パイプ製の支柱と該４本の支柱の上部に上段枠を構成する短枠材と長枠材が連結され、該４本の支柱の中央部には一段以上の中段枠を構成する短枠材と長枠材が連結され、該４本の支柱の下部に下段枠を構成する短枠材と長枠材が連結された直方体形状であり、上記４本の支柱の各々の上端部には上記継手を係止するための固定用ボルトを螺合するためのナットが上記支柱の外壁面に溶接により配設され、該ナットに螺合された上記固定用ボルトが上記壁面を貫通する貫通孔が設けられ、
（２）該連結具は断面正方形の金属性角パイプにより平面視矩形状に形成され、該枠体の４隅に上記継手を挿入して固定するための横断面形状が該支柱と同一の金属角パイプからなる係止部を備え、上記係止部は外壁面に上記固定用ボルトを螺合するためのナットが溶接により配設され、該ナットに螺合された上記固定用ボルトが上記壁面を貫通する貫通孔が設けられ、
（３）該継手は断面形状が正方形の金属角パイプからなり、該金属角パイプの１の面には上記固定用ボルトを挿入するための複数の貫通孔が設けられ、
上記継手の一方の端部を上記枠体の支柱のそれぞれの上端部に挿入して上記固定用ボルトをナットに螺合し、該支柱に設けられたボルト貫通孔と該継手に設けられたボルト貫通孔を連通して該継手の壁を該係止部の壁に押圧して固着し、
上記継手の他方の端部を上記連結具の備える上記係止部に挿入し、該係止部に設けられた該ナットに上記固定用ボルト螺合し、該係止部に設けられた上記貫通孔及び上記継手の上記貫通孔を連通して上記継手の壁を上記係止部の壁に押圧、固着して上記複数の枠体を連結したことを特徴とする耐震組立家具用枠体。
【請求項２】
上記枠体が備える上記上段枠及び上記連結具に補強用桟を備えた請求項１記載の耐震組立家具用枠体。
【請求項３】
更に上記枠体が備える上記中段枠に補強用桟を備えた請求項２記載の耐震組立家具用枠体。
【請求項４】
請求項１乃至３のいずれかに記載の耐震組立家具用枠体を構成する上記枠体が備える上記上段枠、上記中段枠及び上記連結具上に天板を備えた耐震組立家具。
【請求項５】
上記枠体に側板及び／又は後板を備えた請求項４記載の耐震組立家具。
【考案の詳細な説明】
【技術分野】
【０００１】
本考案は、耐震組立家具用枠体及びこれを用いた耐震組立家具に関する。詳しくは狭い場所に搬入可能であり、組立が容易である耐震組立家具用枠体と、これを使用した耐震組立家具であって、地震による倒壊家屋で損壊することがなく、且つ内部に避難可能である耐震組立家具に関する。
【背景技術】
【０００２】
地震に対して安全を考える手順は第１に人命を守るということになる。１９９５年に発生した兵庫南部地震（阪神・淡路大震災）においては、死者６３００人余、損壊建物１４万棟余におよんだ。１９８１年に制定された建築基準法施行令の新耐震設計法により計算された建物の被害は比較的少なかったがそれ以前の耐震規定により設計された建物の被害は大きかった。また、建物が損壊しない場合であっても、転倒してきた家具や、照明器具あるいは天井部の落下により多くの人命が失われた。この阪神淡路大震災を検証すると１９８１年以前の旧建築基準法で建設された家屋の多くは倒壊、二階屋の一階部分の崩壊は地震発生から１０秒以内におこっている。同様に家具の転倒、照明器具あるいは天上部の落下も地震発生から１０秒以内におこっている。このため多くの被災者は屋外に避難するための時間的余裕がなかったことが判明した。従って、地震が発生した際には、被災者は屋外に避難することよりも耐震性を有する構造物の下に避難することが安全な方法といえる。又、阪神淡路大震災においても頑丈な机等の構造物により、倒壊する家屋及び転倒する家具等から身を守った例が多数報告されている。
【０００３】
上記観点から、地震が発生した場合には、大きい外力が加わっても損傷、破壊をしない剛性構造の家具の内部又は下に避難することが、地震の被害から人命を守る最も有効な手段であると考えられる。すでに地震の被害から人命を守るための種々の耐震性に優れた家具が開示されている（下記特許文献１及び特許文献２参照）。
しかし、これらの家具は耐震性を確保するために必然的に頑丈なものとなるため、重量が一般の家具に比較して大きくなるため屋内に搬入することが困難となる。更には搬入が不可能な家屋がある。
【０００４】
本願考案者は永年耐震性のある家具の研究・製造にかかわってきて、上述の搬入の問題が耐震性家具の普及を妨げていることを憂慮してきた。本願考案者は上記問題点を解決するために組立式で、個々の部品は軽量であるため設置場所に容易に搬入できる耐震組立家具であって、組立完成した家具は地震等の不測の大きい外力が加わっても損傷、破壊しない剛性構造を有する耐震家具であり、地震が発生した際にはこの家具の内部に数人が避難することが可能な耐震組立家具が必要であると考えるに至った。
尚、本願考案における「耐震」とは、上述のように地震により倒壊した家屋により損壊することがない剛性構造を意味する。
【特許文献１】特開２００２−３６０３６４
【特許文献２】登録実用新案第３０１６９９６号
【考案の開示】
【考案が解決しようとする課題】
【０００５】
本願考案は、狭い場所においても搬入及び組立が容易であり、震度の大きい地震であっても、倒壊した建造物により損壊することがなく、複数人が避難可能な剛性構造の耐震組立家具用枠体とこれを使用した耐震組立家具を提供する。
【課題を解決するための手段】
【０００６】
本考案の耐震組立家具用枠体は、複数の剛性構造の枠体を継手と連結具で連結したものであって剛性構造を有する。これらの個々の枠体、継手及び連結具はコンパクト且つ軽量であり狭い屋内にも容易に搬入でき容易に組立が可能である。この耐震組立家具用枠体に天板を取り付ければ、耐震組立家具（例えば、棚、机、ベッド、調理台等）になる。この耐震組立家具は極めて強度が大きく２階建て家屋の１階部分の倒壊による荷重によっても損壊することはない。この耐震組立家具は内部（下部）に複数人を収容できる。また、剛性構造を有するため重厚感はあるが、簡潔な設計であるために意匠的にも優れ、日本間及び洋間に載置した場合にもなんら違和感はない。本願の課題を解決する手段は下記のとおりである。
【０００７】
１．複数の枠体と、連結具と、継手とを備える耐震組立家具用枠体であって、
（１）該枠体は断面正方形の４本の金属角パイプ製の支柱と該４本の支柱の上部に上段枠を構成する短枠材と長枠材が連結され、該４本の支柱の中央部には一段以上の中段枠を構成する短枠材と長枠材が連結され、該４本の支柱の下部に下段枠を構成する短枠材と長枠材が連結された直方体形状であり、上記４本の支柱の各々の上端部には上記継手を係止するための固定用ボルトを螺合するためのナットがパイプ外壁面に溶接により配設され、該ナットに螺合された上記固定用ボルトが上記壁面を貫通する貫通孔が設けられ、
（２）該連結具は断面正方形の金属性角パイプにより平面視矩形状に形成され、該枠体の４隅に上記継手を挿入して固定するための横断面形状が該支柱と同一の金属性角パイプからなる係止部を備え、上記係止部はパイプ外壁面に上記固定用ボルトを螺合するためのナットが溶接により配設され、該ナットに螺合された上記固定用ボルトが上記壁面を貫通する貫通孔が設けられ、
（３）該継手は断面形状が正方形の金属角パイプからなり、該金属角パイプの１の面には上記固定用ボルトを挿入するための複数の貫通孔が設けられ、
上記継手の一方の端部を上記枠体の４本の支柱のそれぞれの上端部に挿入して上記固定用ボルトをナットに螺合し、該支柱に設けられたボルト貫通孔と該継手に設けられたボルト貫通孔を連通して該継手の壁を該係止部の壁に押圧して固着し、
上記継手の他方の端部を上記連結具の備える係止部に挿入し、該係止部に設けられた該ナットに上記固定用ボルト螺合し、該係止部に設けられた上記貫通孔及び上記継手の上記貫通孔を連通して上記継手の壁を上記係止部の壁に押圧して固着して上記複数の枠体を連結したことを特徴とする耐震組立家具用枠体。
２．上記枠体が備える上記上段枠及び上記連結具に補強用桟を備えた耐震組立家具用枠体。
３．更に上記枠体が備える上記中段枠に補強用桟を備えた耐震組立家具用枠体。
４．請求項１乃至３のいずれかに記載の耐震組立家具用枠体を構成する上記枠体が備える上記上段枠、上記中段枠及び上記連結具上に天板を備えた耐震組立家具。
５．上記枠体に側板及び／又は後板を備えた請求項４記載の耐震組立家具。
【考案の効果】
【０００８】
本願耐震組立家具用枠体は、複数の枠体と、継手と、連結具で構成され、これらの構成部材を分解及び組立をすることが自在であるため、狭い場所（部屋）への搬入が容易である。これらの構成部材は断面正方形の金属角パイプ、または金属パイプを溶接してなるものであり、これを組み立てた耐震組立家具用枠体は住宅倒壊による縦及び水平荷重による外部応力により、金属角パイプが座屈又は破断することはなく、強震度の地震に対して十分な剛性構造を有する。また、複数の枠体を自由に連結することが出来るため耐震組立家具用枠体の形状自由度が大きい。更に、枠体同士を連結具で連結しているため本願耐震組立家具用枠体は地震により転倒するおそれはほとんどない。
また、連結具及び枠体の上段枠に補強用の桟を設けることにより、より大きな剛性を有する。更にまた、中段枠にも補強用の桟を設けることにより堅固なものとなる。
【０００９】
本願考案の耐震組立家具は上記耐震組立家具用枠体の連結具の上、及び枠体の上段及び中段に天板を設けることにより、製作が容易にできる。上記耐震組立家具用枠体の中段枠の数及び位置を変えることにより、更には天板の形状を変えることにより、これらの家具は、棚、机、本棚、ベッド、調理台等とすることができる。
【００１０】
更に、棚と机の合体した耐震組立家具とすることもできるし、ベッドと棚と机の合体した耐震組立家具等種々のバリエーションの耐震組立家具を実現できる。地震が発生した場合はこの耐震組立家具の天板を設置した連結具の下又は枠体の最下段に複数人が避難することが可能である。上述のように強震度の地震が発生した場合には、屋外に避難する時間的余裕はない。本願考案の耐震組立家具に避難することが最も安全である。
【００１１】
また、本願耐震組立家具の側面、背面に側板及び／又は後板を設けたときは、装飾的効果が大きく美的外観にすぐれるため、日本間、洋間又は幼稚園あるいは小学校等の教室などにおいても違和感なく設置できる。特に新耐震建築法をクリヤーしていない幼稚園、小学校、中学校等の教室の棚又は本箱として普段は使用するとともに地震発生時にはシェルターとして使用できる。
【考案を実施するための最良の形態】
【００１２】
以下、本願考案を実施するための最良の形態について、図を用いて詳細に説明する。本願考案はこれらの図に限定されるものではない。
〔耐震組立家具用枠体〕
本願考案の耐震組立家具用枠体１は、枠体２０と連結具３０と継手４０からなる。図１は耐震組立家具用枠体１の斜視図である。図２は耐震組立家具用枠体１の分解組立図、図３は枠体２０の斜視図である。この枠体２０は断面形状が正方形の金属角パイプであって、４本の支柱２１と上段枠２０ａを構成する長枠材２３と短枠材２２と、１段以上の中段枠２０ｂを構成する長枠材２３と短枠材２２と、下段枠２０ｃを構成する長枠材２３と短枠材２２とでなる。
【００１３】
この中段枠２０ｂは必要に応じて複数設けることができ、その位置も特に制限されない。この耐震組立家具用枠体１を用いて作られる耐震組立家具２の種類により、必要とされる数及び位置は異なる。又、複数の中段枠２０ｂを設けることにより耐震組立家具用枠体１の剛性は大きくなり、これを使用する耐震組立家具２の剛性も大きくなる。
【００１４】
この上段枠２０ａには、補強用の桟３４を設けることが好ましい。地震時に上からの落下物による損傷を防ぐためであり、また、この補強用の桟３４は枠体２の剛性を高める。更にはこの上段枠２０ａの上に設置する天板を安定させる。更にまた、図３に示すように中段枠２０ｂにも補強用の桟２４を設けることも出来る。
【００１５】
この支柱２１、短枠材２２及び長枠材２３は、金属性の角パイプであり、鉄、ステンレス等を用いる。通常は鉄を用いる。本考案に係る耐震組立家具用枠体１は室内で使用するものであり、腐食の心配はない。このため、安価であり、作業性に優る鉄を通常は使用する。また、外面は塗装をすることがこの好ましい。
【００１６】
この支柱２１の長さは特に制限はないが安定性を考慮すると１３００ｍｍ〜１７００ｍｍである。好ましくは１４００ｍｍ〜１６００ｍｍである。１７００ｍｍを超えると地震発生のときに耐震組立家具用枠体１が転倒するおそれがあり、１４００ｍｍ未満では、この耐震組立家具用枠体１を耐震組立家具２に使用するとき、使い勝手が悪い。また、地震発生時に急いでこの耐震組立家具２に避難することが困難となる場合があるためである。
【００１７】
この支柱２１の１辺の寸法は好ましくは４７ｍｍ〜５３ｍｍ、更に好ましくは４８ｍｍ〜５２ｍｍである。４７ｍｍ未満であると溶接、孔あけ等の作業性が悪いうえに十分な耐震強度が得られないためである。５３ｍｍを超えると重量が大きく、取扱いが困難であるうえに、耐震強度の観点からは品質オーバーになるためである。
【００１８】
この支柱２１の肉厚は特に制限はないが３．０ｍｍ〜３．５ｍｍが好ましく、更に好ましくは３．１ｍｍ〜３．４ｍｍである。３．０ｍｍ未満であると耐震強度に欠け、３．５ｍｍを超えると重量が大きくなり取扱いが困難であるうえに、耐震強度の観点からは品質オーバーになるためである。上記よりこの支柱２１の好ましいサイズは、長さが１４００ｍｍ〜１６００ｍｍ、１辺の寸法が４８ｍｍ〜５２ｍｍ、肉厚が３．１ｍｍ〜３．４ｍｍである。
【００１９】
この枠体２１の段枠２０ａ、２０ｂ、２０ｃに使用する金属角パイプ短枠材２２及び長枠材２３の寸法は特に制限はない。この短枠材２２及び長枠材２３は、支柱２１に使用する角パイプと１辺の寸法及び肉厚を同一とすることができる。枠体２１の作製が容易だからである。しかし、一般の戸建住宅に使用する耐震組立家具２としては、剛性が大きく品質オーバーになるため、１辺の寸法が支柱の１辺の寸法と同一とする場合は、肉厚は１．５〜１．８ｍｍとすることが好ましい。肉厚が１．５ｍｍ未満であると剛性に欠けるおそれがあり、１．８ｍｍ以上であると枠体２１の重量が増して取り扱いが困難になるとともに品質オーバーになる。
【００２０】
この短枠材２２及び長枠材２３の長さ寸法は特に制限はないが、短枠材２２の長さは５５０ｍｍ〜６５０ｍｍ、長枠材の長さは８５０ｍｍ〜９５０ｍｍが好ましい。この範囲あると枠体２１が安定している。また、この枠体２１同士を連結具３０で連結した耐震組立家具用枠体１も安定して地震による水平荷重で転倒するおそれはほとんどない。更に、耐震組立家具用枠体１の安定感が優れ、これを使用して製作された耐震組立家具２は、使用者に安定感を感じさせる。これら支柱２１、短枠材２２、長枠材２３及び補強用桟２４は溶接で連結する。
【００２１】
この枠体２０を構成する支柱２１の各々の上端部には、図２の分解組立図及び図３の枠体２１斜視図に示すようにナットが溶接されているとともにボルト貫通孔２０ｈが設けられている。図２の分解組立図に示すようにこの支柱２１に継手４０を挿入して固定用ボルトｂをナットに螺合した後、このボルトｂは継手４０の貫通孔４０ｈと支柱２１の貫通孔２０ｈを連通して継手４０の壁を支柱２１の壁に押圧して固着される（７図参照）。
【００２２】
このナットｎは固定ボルトに螺合するものであり、この固定用ボルトｂは直径が１５．０ｍｍ〜１６．０ｍｍ、好ましくは１５．３ｍｍ〜１５．７ｍｍのものを使用する。この範囲の固定用ボルトｂであれば地震による家屋倒壊による荷重にも損壊することがない。また、貫通孔３０ｈの直径は固定用ボルトｂの直径より略１ｍｍ大きくする。この場合、貫通孔３０ｈの上にナットを容易に溶接できる。
【００２３】
連結具３０は断面正方形の金属角パイプ短連結具材３１、長連結具材３２により平面視矩形状に形成され、４隅に継手４０を挿入して固定するための横断面形状が支柱２１と同一の金属性角パイプからなる係止部３３を備える。この係止部３３は外壁面に上記固定用ボルトｂを螺合するためのナットｎが溶接により配設され、このナットに螺合された固定用ボルトｂが上記壁面を貫通する貫通孔３０ｈが設けられる。  
【００２４】
係止部３３を構成する金属角パイプは、１辺の寸法は支柱２１の角パイプのものと同一のものを使用する。係止部３３には支柱２１と同様に継手４０を挿入するためである。連結具３０を構成する金属角パイプ短連結具材３１及び長連結具材３２の１辺の寸法は特に限定はないが係止部３３と同一のものを使用することが好ましい。この係止部３３及び金属角パイプ３１、３２は溶接で一体に製作されるため同一寸法であると製作が容易だからである。また、長連結具材３２の長さ寸法は、枠体２１の長枠材２３の長さと同一にする。短連結具材３１の長さ寸法は、特に制限はないが好ましくは７００ｍｍ〜８００ｍｍとする。７００ｍｍ未満であると連結した枠体２１同士の幅が狭すぎて使い勝手が悪い。また、８００ｍｍを超えると耐震性に欠けるおそれがある。
【００２５】
この連結具３０に図１及び図２に示すように補強用の桟３４を設けることが好ましい。地震時に上からの落下物による損傷を防ぐためであり、また、耐震組立家具用枠体１の剛性を高める。更にはこの連結具３０の上に設置する天板を安定させることが出来るためである。この補強用桟３４は連結具材３１、３２と１辺が同一の角パイプを使用することが好ましい。補強用桟３４の取付けが容易なためである。
【００２６】
補強用桟３４及び短連結具材３１、長連結具材３２の肉厚は係止部３３の角パイプの肉厚と同一であっても良いが、軽量化を図るために枠体２１の短枠材２２、長枠材２３及び補強用桟２４と同一のものを使用することが好ましい。即ち、１辺の寸法が係止部３３の１辺の寸法と同一とする場合は、肉厚は１．５〜１．８ｍｍとすることが好ましい。肉厚が１．５ｍｍ未満であると剛性に欠けるおそれがあり、１．８ｍｍ以上であると枠体２１の重量が増して取り扱いが困難になるとともに品質オーバーになる。
【００２７】
図７に示すように、この係止部３３は外壁面に固定用ボルトｂを螺合するためのナットｎとこのナットｎに螺合された固定用ボルトｂを挿入する為の貫通孔３０ｈが設けられる。このナットｎは貫通孔３０ｈの真上に溶接して溶接部ｙを設けて固着される。この固定用ボルトｂは直径が１５．０ｍｍ〜１６．０ｍｍ、好ましくは１５．３ｍｍ〜１５．７ｍｍのものを使用する。この範囲の固定用ボルトｂであれば地震による家屋倒壊による荷重にも損壊することがない。また、貫通孔３０ｈの直径は固定用ボルトｂの直径より略１ｍｍ大きくする。この場合、貫通孔３０ｈの上にナットを容易に溶接できる。
【００２８】
継手４０は断面が正方形の金属製角パイプからなる。この継手４０は枠体２０の支柱２１及び連結具３０の係止部３３に挿入するために、１辺の寸法は、支柱２１及び係止部３３のそれより小さくする必要がある。１辺の寸法は３８ｍｍ〜４２ｍｍであって、通常は４０ｍｍのものを使用する。この寸法であると支柱２１及び連結具３０の係止部３３に容易に挿入できるためである。
【００２９】
この金属性角パイプの肉厚は好ましくは４．３ｍｍから４．７ｍｍの角パイプを使用する。４．３ｍｍ未満であると耐震性に欠けるおそれがあり、４．７ｍｍを超えると品質オーバーになり重量が大きく取り扱いが困難となる。この継手４０の長さ寸法は、５００ｍｍ〜７００ｍｍである。５００ｍｍ未満であると耐震組立家具用枠体１（耐震組立家具２）の高さが小さすぎて使い勝手が悪い。７００ｍｍを超えると耐震組立家具用枠体１（耐震組立家具２）の安定性にかける。
【００３０】
この継手４０は固定用ボルトｂを貫通させるための貫通孔４０ｈが設けられる。この貫通孔４０ｈの直径はボルトｂの直径よりも略１．５ｍｍ大きくする。ボルトｂの貫通を容易にするためである。この貫通孔４０ｈの数及び位置は特に制限はない。耐震組立家具用枠体１（耐震組立家具２）の必要な高さに適合させて調節できるように、複数個設けることが出来る。
【００３１】
図４は完成した耐震組立家具用枠体１の正面図である。耐震組立家具用枠体１の高さＨは、特に制限はないが通常は普通の人の身長である１８０ｃｍ前後とする。図５は耐震組立家具用枠体１の平面図である。この図が示すように継手４０の壁が連結具３０の備える係止部３３の壁にボルトｂで押圧されて固着・緊結されていることが解かる。また、ナットは係止部３３を構成する角パイプに溶接で溶接部ｙを設けて固着されている。図６は本願耐震組立家具用枠体１の側面図である。
【００３２】
図７は図５に係るＣ−Ｃ切断一部断面図である。継手４０は枠体２０の支柱２１及び連結具３０の備える係止部３３に挿入され、ボルトｂは係止部３３の貫通孔３０ｈと継手４０の貫通孔４０ｈを連通して継手４０の壁を係止部３３の壁に押圧して継手４０と連結部を緊結している。また、ボルトｂは支柱２１の貫通孔２０ｈと継手４０の貫通孔４０ｈを連通して、継手４０の壁を支柱２１の壁に押圧して継手４０と枠体２０を緊結している。
【００３３】
図８は他の態様の本願考案である耐震組立家具用枠体１の例を示す図である。この図に示すように３個の枠体２０を、２個の連結具３０で継手４０を用いて連結してひとつの耐震組立家具用枠体１をなしている。この図が示すように広い場所（部屋）等に設置する場合は自由に大きさを変更して設計できる。耐震組立家具用枠体１を構成する部材の各々は軽量であり、搬入は容易であり、組立は簡単である。これらの耐震組立家具用枠体１に天板、側板、後板を配設すれば耐震組立家具２になる。
【００３４】
〔耐震組立家具〕
本願耐震組立家具２は、上述の耐震組立家具用枠体１を用いて作成する。図９は耐震組立家具２の一例を示す斜視図である。この図に示す家具は耐震組立棚である。連結具３０の上に天板３０と、枠体２０の上段枠２０ａと中断枠２０ｂの上に天板２０ｔを配設している。この耐震組立家具２(棚)は通常は棚として使用するが、地震が発生した場合は、天板３０ｔの下に避難することができるシェルターとなる。また、枠体２０の中断枠２０ｂに設けた天板の下にも避難することができる。大地震が発生した場合は通常屋外に避難する時間的余裕はなく（阪神・淡路大震災では１０秒以内に建物の倒壊が始まっている。）、また、恐怖で気が動転してどの用に身を処してよいのか判断することが困難である。部屋に本願耐震組立家具２がおいてあればすぐにこの内部に避難することができる。
【００３５】
この耐震組立家具用枠体１を用いて作成できる家具は図１に示す棚だけでなく、本箱、机、ベッド、調理台等のものもできる。例えば、図１０は枠体２０に天板の形を工夫して机にしたものの分解・組立図である。枠体２０に中段枠２０ｂを２段設けて下側の中段枠の長枠材２３を少し内部に設置して天板２０ｊを配設してイスに座った際に邪魔にならないようにし、また上側の中段枠に桟２５を設けて本棚用の天板２０ｉを設けた。更に、勉強に集中できるように側板２０ｓ及び後板２０ｇを配設した。図１１は完成した机である。
【００３６】
図１２は他の態様の耐震組立家具２である。この図が示すように一方の枠体２０を机とし、他方の枠体２０を棚にしたものを連結具３０と継手４０を用いて連結して耐震組立家具２を作成したものである。この他にも机とベッド、ベッドと棚、ベッドと調理台、
机とベッドと棚等の種々のバリエーションの耐震組立家具２の作成が可能である。図１３は本願考案の他の態様の耐震組立家具２である。鉄筋コンクリート製の校舎等で、地震発生時にコンクリート塊等の落下が予想される場合などは、耐震強度を上げる為に、連結具３０を二重に設置してその各々に天板３０ｔを配設することが好ましい。また、枠体２０の支柱のナットｎを二重に設ける（継手４０の貫通孔４０ｈもこれに応じて設ける）ことができる。
【実施例１】
【００３７】
１．耐震組立家具用枠体の製作
（１）枠体の製作
枠体は下記の寸法の鉄製の角パイプを１台に付き下記の数を使用して、アーク溶接で連結して２台製作した。下記の数字は全て単位はｍｍであり、以下同じである。
Ａ  支柱の寸法    ；５０×５０×１５００、肉厚；３．２
数    ；４本
Ｂ  支柱の貫通孔の径：１８
Ｃ  短枠尺の寸法  ；５０×５０×５００、肉厚；１．６  
数  ；８本
Ｄ  長枠尺の寸法  ；５０×５０×８００、肉厚；１．６
数  ；８本
Ｅ  補強用桟の寸法；５０×５０×５００、肉厚；１．６  
数  ；２本
この補強用の桟は枠体の上段枠にのみ取付けた。
（２）連結具の製作
連結具は下記の寸法の鉄製の角パイプを下記の数を使用して、アーク溶接で連結して１台製作した。
Ａ  短連結具材    ；５０×５０×７００、肉厚；１．６  
数  ；２本
Ｂ  長連結具材    ；５０×５０×８００、肉厚；１．６  
数  ；２本
Ｃ  係止部        ；５０×５０×５０、肉厚；３．２  
数  ；４本
Ｄ  係止部の貫通孔の直径；１６．５
Ｅ  係止部のナット；１５．５
Ｆ  補強用桟    ；５０×５０×７００、肉厚；１．６  
数  ；２本
（３）継手の作成
継手は下記の寸法の鉄製の角パイプに貫通孔を設けて４本製作した。
Ａ  継手寸法；４０×４０×８００、肉厚；４．５
Ｂ  貫通孔  ；１６．５
貫通孔は上記角パイプの上端部から１００ｍｍおきに３個、下端部から１００ｍｍのところに１個設けた。
（４）組立
枠体２台を上述の連結具及び継手を使用して直径：１５．５ｍｍのボルトを使用して組立てた。組み立てが完了した耐震組立家具用枠体は図１に示す。
２．耐震組立家具（棚）の製作
上記製作された耐震組立家具用枠体の連結具の上に２．５ｍｍの木製天板を配置して、ビスで固定した。また、枠体の上段枠上及び２個の中段枠に木製天板を加工して配置してビスで固定した。完成した耐震組立家具（棚）は図９に示す。
【図面の簡単な説明】
【００３８】
【図１】本願考案の耐震組立家具用枠体の斜視図である。
【図２】本願考案の耐震組立家具用枠体の分解組立図である。
【図３】枠体の斜視図である。
【図４】本願考案の耐震組立家具用枠体の正面図である。
【図５】本願考案の耐震組立家具用枠体の平面図である。
【図６】本願考案の耐震組立家具用枠体の側面図である。
【図７】図５に係る枠体係止部のＣ−Ｃ部分の一部断面図である。
【図８】本願考案の他の態様の耐震組立家具用枠体斜視図である。
【図９】本願考案の耐震組立家具の斜視図である。
【図１０】枠体に天板、側板、後板を取付ける説明図である。
【図１１】枠体に天板、側板、後板を取付けた斜視図である。
【図１２】本願考案の耐震組立家具であって、棚と机が連結した説明図である。
【図１３】本願考案の他の態様の耐震組立家具の斜視図である。
【符号の説明】
【００３９】
１      耐震組立家具用枠体
２      耐震組立家具
２０    枠体
２１    支柱
２２    短枠材
２３    長枠材
２４    補強用桟  
３０    連結具
３１    短連結具材
３２    長連結具材
３３    係止部
４０    継手
ｂ      ボルト
ｎ      ナット
ｙ      ナット溶接部
２０ｈ  枠体支柱貫通孔
２０ｔ  枠体に設ける天板
２０ｓ  枠体に設ける側板
２０ｇ  枠体に設ける後板
３０ｈ  連結具係止部貫通孔
３０ｔ  連結具に設ける天板
４０ｈ  継手貫通孔
【図１】
0003149953.tif 000003
【図２】
0003149953.tif 000004
【図３】
0003149953.tif 000005
【図４】
0003149953.tif 000006
【図５】
0003149953.tif 000007
【図６】
0003149953.tif 000008
【図７】
0003149953.tif 000009
【図８】
0003149953.tif 000010
【図９】
0003149953.tif 000011
【図１０】
0003149953.tif 000012
【図１１】
0003149953.tif 000013
【図１２】
0003149953.tif 000014
【図１３】
0003149953.tif 000015